(57)【要約】【課題】見返し部材と表示板との位置決めを確実に行って、商品性を高めることが可能な計器装置を提供する。【解決手段】ケース１０と、このケース１０上に配置される表示板９と、この表示板９上に配置される見返し部材１１とを備えた計器装置に於いて、見返し部材１１に設けられた第１の突部１７（第１の位置決め部）と、この第１の突部１７に対応した表示板９箇所に設けられた第１の孔部２０（表示板位置決め部）と、見返し部材１１に設けられた第２の突部１８（第２の位置決め部）と、この第２の突部１８に対応したケース１０箇所に設けられた第２の孔部２６（ケース位置決め部）とを備えた。【選択図】図２
2009264870.tif 000002
【特許請求の範囲】
【請求項１】
表示板と、この表示板上に配置される見返し部材とを備えた計器装置に於いて、前記見返し部材に設けられた第１の位置決め部と、この第１の位置決め部に対応した前記表示板箇所に設けられた表示板位置決め部とを備えたことを特徴とする計器装置。
【請求項２】
ケースと、このケース上に配置される表示板と、この表示板上に配置される見返し部材とを備えた計器装置に於いて、前記見返し部材に設けられた第１の位置決め部と、この第１の位置決め部に対応した前記表示板箇所に設けられた表示板位置決め部と、前記見返し部材に設けられた第２の位置決め部と、この第２の位置決め部に対応した前記ケース箇所に設けられたケース位置決め部とを備えたことを特徴とする計器装置。
【請求項３】
前記第１の位置決め部および前記第２の位置決め部が突部からなり、前記表示板位置決め部および前記ケース位置決め部は前記突部が嵌入される孔部または切り欠き部からなることを特徴とする請求項２に記載の計器装置。
【請求項４】
ケースと、このケース上に配置される表示板と、この表示板上に配置される見返し部材とを備えた計器装置に於いて、前記見返し部材に設けられた第１の位置決め部と、この第１の位置決め部に対応した前記表示板箇所および前記ケース箇所に設けられた表示板位置決め部およびケース位置決め部とを備えたことを特徴とする計器装置。
【請求項５】
前記第１の位置決め部が突部からなり、前記表示板位置決め部および前記ケース位置決め部は前記突部が嵌入される孔部または切り欠き部からなることを特徴とする請求項４に記載の計器装置。
【請求項６】
前記見返し部材は前記表示板の可視領域を定める開口部を有し、前記表示板は前記開口部の際に沿うように設けられた意匠部を有していることを特徴とする請求項１から請求項５の何れかに記載の計器装置。
【請求項７】
前記意匠部は、印刷によって形成される表示形態、或いは前記表示板を立体加工した際に形成される凹部または凸部との境界線からなることを特徴とする請求項６に記載の計器装置。
【発明の詳細な説明】
【技術分野】
【０００１】
本発明は、表示板の前方側に見返し部材が配置された例えば車両用の計器装置に関し、特に表示板と見返し部材とを位置決めしてなる計器装置に関するものである。
【背景技術】
【０００２】
この様な計器装置として、例えば下記特許文献１に記載のものが知られている。特許文献１に記載の計器装置は、導光体４に位置決めとなる筒状体４ｃを前後方向に向かって突設し、文字板３（表示板）に筒状体４ｃに対応する位置決め孔３ｂを形成し、計器ケース１内に筒状体４ｃに対応する第１の位置決めピン１ｃを突設し、見返し板５（見返し部材）の裏面に筒状体４ｃに対応する第２の位置決めピン５ｃを突設する。そして、文字板３の位置決め孔３ｂを筒状体４ｃに挿通し、計器ケース１と導光体４とを組み付けることにより第１の位置決めピン１ｃが筒状体４ｃ内に挿入され、見返し板５と導光体４とを組み付けることにより第２の位置決めピン５ｃが筒状体４ｃ内に挿入されるというものである。
【０００３】
この様に構成することにより、計器ケース１と文字板３と見返し板５とは、導光体４を介して位置決めがなされる。これにより、特許文献１の図２に示す様に、文字板３の表示部７に見返し板５の境目Ｌ（窓部）が重なっているような場合であっても、見返し板５と文字板３との位置ずれが抑えられるため、境目Ｌに対する表示部７の位置がほぼ均一となり、表示部７の視認性が低下することが抑えられるというものである。
【特許文献１】特開平１０−７３４６０号公報
【発明の開示】
【発明が解決しようとする課題】
【０００４】
しかしながら、上記特許文献１の計器装置に於いては、導光体４に文字板３（表示板）と見返し板５（見返し部材）を位置決めしたものである。即ち、文字板３は導光体４に設けられた筒状体４ｃの外壁に位置決めされ、見返し板５は第２の位置決めピン５ｃが筒状体４ｃの内壁に位置決めされるというものである。この際、筒状体４ｃの外壁と文字板３の位置決め孔３ｂとの間に位置ずれが生じ、筒状体４ｃの内壁と第２の位置決めピン５ｃとの間に位置ずれが生じ、両方の位置ずれが相反する方向に位置ずれした場合、当該箇所に於ける見返し板５と文字板３との位置ずれ量が最大となってしまう。その結果、境目Ｌに対する表示部７の位置が不均一となり、視認性や商品性が低下してしまうという虞がある。
【０００５】
本発明はこの様な点に鑑みなされたもので、見返し部材と表示板との位置決めを確実に行って、商品性を高めることが可能な計器装置を提供することを目的とする。
【課題を解決するための手段】
【０００６】
本発明は前記目的を達成するため、表示板と、この表示板上に配置される見返し部材とを備えた計器装置に於いて、前記見返し部材に設けられた第１の位置決め部と、この第１の位置決め部に対応した前記表示板箇所に設けられた表示板位置決め部とを備えたものである。
【０００７】
また、ケースと、このケース上に配置される表示板と、この表示板上に配置される見返し部材とを備えた計器装置に於いて、前記見返し部材に設けられた第１の位置決め部と、この第１の位置決め部に対応した前記表示板箇所に設けられた表示板位置決め部と、前記見返し部材に設けられた第２の位置決め部と、この第２の位置決め部に対応した前記ケース箇所に設けられたケース位置決め部とを備えたものである。
【０００８】
また、前記第１の位置決め部および前記第２の位置決め部が突部からなり、前記表示板位置決め部および前記ケース位置決め部は前記突部が嵌入される孔部または切り欠き部からなるものである。
【０００９】
また、ケースと、このケース上に配置される表示板と、この表示板上に配置される見返し部材とを備えた計器装置に於いて、前記見返し部材に設けられた第１の位置決め部と、この第１の位置決め部に対応した前記表示板箇所および前記ケース箇所に設けられた表示板位置決め部およびケース位置決め部とを備えたものである。
【００１０】
また、前記第１の位置決め部が突部からなり、前記表示板位置決め部および前記ケース位置決め部は前記突部が嵌入される孔部または切り欠き部からなるものである。
【００１１】
また、前記見返し部材は前記表示板の可視領域を定める開口部を有し、前記表示板は前記開口部の際に沿うように設けられた意匠部を有しているものである。
【００１２】
また、前記意匠部は、印刷によって形成される表示形態、或いは前記表示板を立体加工した際に形成される凹部または凸部との境界線からなるものである。
【発明の効果】
【００１３】
見返し部材と表示板との位置決めを確実に行って、商品性を高めることが可能な計器装置を得ることができる。
【発明を実施するための最良の形態】
【００１４】
本発明を、例えば車両に備えられる計器装置を実施形態として説明する。図１は、本発明の第１実施形態を示す計器装置の正面図であり、図２は同計器装置の部分断面図（図１に於けるＡ−Ａ断面）である。
【００１５】
計器装置は、計器としての例えば速度計１とエンジン回転計２を備えている。計器は、硬質な回路基板３と、この回路基板３の裏面側に回路基板３と導通状態で装着され、回路基板３を貫通して前方に延びる回動軸４を有する計器本体５と、回動軸４に固着され指示部６を有する指針７と、この指針７の背後に配置され指示部６の指示対象となる車両の速度やエンジン回転数を現す目盛，数字などの表示部８が設けられた表示板９と、表示板９と回路基板３との間に配置され表示板９が支持されるケース１０を備えている。
【００１６】
また、表示板９の表面側に配置され表示板９の可視領域を定める見返し部材１１と、表示板９や見返し部材１１の前方側を被う無色透明な合成樹脂からなる透視板１２と、回路基板３の裏面側を被う合成樹脂製のカバー１３と、回路基板３上に実装され指針７や表示板９を背後から照明する光源としての発光ダイオード１４，１４Ａなどを備えており、夜間など周囲が暗い時に各発光ダイオード１４，１４Ａを点灯させることで指針７の指示部６および表示板９の表示部８がそれぞれ照明されるようになっている。
【００１７】
見返し部材１１は、例えば黒色の合成樹脂からなり、表示板９の可視領域（速度計１とエンジン回転計２）を定める開口部１５を有している。また、盤面１６の裏面側には、第１の位置決め部および第２の位置決め部となる例えば円柱状の第１の突部１７と第２の突部１８が各々２固ずつ設けてある。
【００１８】
表示板９は、詳細は図示しないが、無色透明な合成樹脂からなる基板の表面側に速度およびエンジン回転数を現す表示部８（目盛表示部８Ａ，数字表示部８Ｂなど）となる例えば白色の透過性表示層を印刷形成する。その後、表示部８を除いて地部１９となる例えば黒色で遮光性を有する地色層を印刷形成したものである（図１に於いては、表示部８を黒色で、地部１９を無色で示す）。各目盛表示部８Ａは外周側の端が見返し部材１１の開口部１５の際に沿うように（開口部１５の際と僅かな隙間を有して）設けられており、この目盛表示部８Ａの内側（表示板９の中心側）に数字表示部８Ｂが設けてある。
【００１９】
また、表示板９には、見返し部材１１に設けられた第１の位置決め部となる第１の突部１７に対応した箇所に表示板位置決め部となる例えば円形の第１の孔部２０が設けてある。この第１の孔部２０は円形に限定するものではないが、第１の突部１７が嵌り込んだ際に大きながたつきが発生せず、見返し部材１１と表示板９との位置が定まるようになっている。また、第２の突部１８に対応した箇所には表示板孔２１が設けてある。この表示板孔２１は見返し部材１１と表示板９との位置を定めるものではなく、従って、第２の突部１８より径大で第２の突部１８が貫通する孔となっている。
【００２０】
ケース１０は、遮光性のある例えば白色の合成樹脂からなり、回動軸４の周囲に配置された指針７用の発光ダイオード１４を囲むように表示板９と回路基板３との間に配置された筒部２２と、表示板９用の発光ダイオード１４Ａを取り巻くように傾斜して形成された傾斜壁２３と、表示板９が支持される前面部２４や外周壁２５などを有している。
【００２１】
また、ケース１０には、見返し部材１１に設けられた第２の位置決め部となる第２の突部１８に対応した箇所にケース位置決め部となる例えば円形の第２の孔部２６が設けてある。この第２の孔部２６は円形に限定するものではないが、第２の突部１８が嵌り込んだ際に大きながたつきが発生せず、見返し部材１１とケース１０との位置が定まるようになっている。また、見返し部材１１に設けられた第１の突部１７に対応した箇所にはケース孔２７が設けてある。このケース孔２７は見返し部材１１とケース１０との位置を定めるものではなく、従って、第１の突部１７より径大で第１の突部１７が貫通する孔となっている。
【００２２】
この様な計器装置は、表示板９の第１の孔部２０に見返し部材１１の第１の突部１７を嵌入させて、見返し部材１１と表示板９とを位置決めした後、見返し部材１１の第２の突部１８をケース１０の第２の孔部２６に嵌入させることによって見返し部材１１とケース１０とが位置決めされる。
【００２３】
この様に、見返し部材１１に第１の突部１７（第１の位置決め部）を設け、この第１の突部１７に対応した表示板９箇所に第１の孔部２０（表示板位置決め部）を設けて、第１の突部１７を第１の孔部２０に嵌入して見返し部材１１と表示板９とを位置決めしたことにより、見返し部材１１と表示板９との位置決めが確実に行われる。従って、開口部１５に対する表示部８の位置ずれを抑えることができ、商品性を高めることが可能な計器装置を得ることができる。
【００２４】
また、目盛表示部８Ａの外周側の端を見返し部材１１の開口部１５の際に沿うように設けることで表示範囲が広くなり、視認性の良い計器装置が得られると共に、開口部１５の際に沿うように表示部８（目盛表示部８Ａ）が配置されていると、表示板９が僅かに位置ずれしただけでも表示部８の位置ずれが目立ってしまうが、見返し部材１１と表示板９との位置決めが確実に行われることで開口部１５に対する表示部８の位置ずれが抑えられ、計器装置の商品性が高まる。
【００２５】
また、見返し部材１１に第１の突部１７を設け、表示板９に第１の孔部２０を設けて、第１の孔部２０に第１の突部１７を嵌入させると共に、見返し部材１１に第２の突部１８を設け、ケース１０に第２の孔部２６が設けて、第２の孔部２６に第２の突部１８を嵌入させることで、見返し部材１１と表示板９との位置決めは勿論、見返し部材１１とケース１０とが位置決めされる。即ち、見返し部材１１と表示板９とケース１０とが位置決めされることで、各部品の位置ずれが抑えられる。
【００２６】
また、見返し部材１１に設けた第１の位置決め部および第２の位置決め部をそれぞれ第１の突部１７，第２の突部１８（突部）とし、表示板９およびケース１０に設けた表示板位置決め部およびケース位置決め部をそれぞれ第１の孔部２０，第２の孔部２６（孔部）とすることで、各位置決め部を単純な形状で以て形成でき、各位置決め部の加工が容易であると共に計器装置の組み付けも容易となる。なお、第１の孔部２０および第２の孔部２６を孔部としたが、第１の突部１７および第２の突部１８が嵌入されるようになっていれば切り欠き部としても良い。
【００２７】
なお、本実施形態に於いては、見返し部材１１に設けた第１の突部１７に対応したケース１０箇所を第１の突部１７より径大なケース孔２７とし、見返し部材１１に設けた第２の突部１８に対応した表示板９箇所は第２の突部１８より径大な表示板孔２１としてある。この様に、見返し部材１１と表示板９とを位置決めした箇所ではケース１０との位置決めを行わず、見返し部材１１とケース１０とを位置決めした箇所では表示板９との位置決めを行わないことで、各箇所に於ける位置決めを容易としている。即ち、全ての位置決め箇所（４箇所）に於いて、見返し部材１１，表示板９，ケース１０を位置決めしようとすると、何れかの部品に寸法バラツキが有った際に位置決めできない（孔部に突部が嵌入できない）ということが発生する可能性があるが、位置決め部品を少なくする（２部品である）ことで各部品の位置決めを確実で容易とするものである。
【００２８】
また、各目盛表示部８Ａは見返し部材１１の開口部１５の際と隙間を有して設けられているが、重なっていても（各目盛表示部８Ａが開口部１５よりも外周側に延びていても）良い。また、目盛表示部８Ａと数字表示部８Ｂに配置が逆であっても良い。
【００２９】
図３は本発明の第２実施形態を示す計器装置の要部断面図である。本実施形態は、見返し部材，表示板，ケースの位置決めを同一箇所で行ったものであるが、前記第１実施形態と基本的な構成は同じため、同一または相当箇所には同一符号を付し、その詳細説明は省略する。
【００３０】
見返し部材１１には、第１の位置決め部となる例えば円柱状の第１の突部１７が設けてある。また、表示板９には、見返し部材１１に設けられた第１の突部１７に対応した箇所に表示板位置決め部となる例えば円形の第１の孔部２０が設けてある。また、ケース１０には、見返し部材１１に設けられた第１の突部１７に対応した箇所にケース位置決め部となる例えば円形の第２の孔部２６が設けてある。
【００３１】
この様な計器装置は、表示板９の第１の孔部２０に見返し部材１１の第１の突部１７を嵌入させた後、見返し部材１１の第１の突部１７をケース１０の第２の孔部２６に嵌入させることによって、見返し部材１１と表示板９とケース１０とが位置決めされる。
【００３２】
この様に、見返し部材１１に第１の突部１７（第１の位置決め部）を設け、この第１の突部１７に対応した表示板９箇所およびケース１０箇所に第１の孔部２０（表示板位置決め部），第２の孔部２６（ケース位置決め部）を設けて、第１の突部１７を第１の孔部２０および第２の孔部２６に嵌入して見返し部材１１と表示板９とケース１０とを位置決めしたことにより、見返し部材１１と表示板９とケース１０との位置決めが確実に行われ、前記第１実施形態と同様な効果が得られる。
【００３３】
また、見返し部材１１に設けた第１の位置決め部を第１の突部１７（突部）とし、表示板９およびケース１０に設けた表示板位置決め部およびケース位置決め部をそれぞれ第１の孔部２０，第２の孔部２６（孔部）とすることで、各位置決め部を単純な形状で以て形成でき、各位置決め部の加工が容易であると共に計器装置の組み付けも容易となる。なお、第１の孔部２０および第２の孔部２６を孔部としたが、第１の突部１７が嵌入されるようになっていれば切り欠き部としても良い。
【００３４】
また、同一箇所で（第１の突部１７を基準として）見返し部材１１と表示板９とケース１０とを位置決めすることで、１枚の表示板９に対して位置決め部は少なくとも２箇所有れば良く、位置決め箇所を多くする必要はない。位置決め箇所が少ないと位置決め部品が３点であっても、孔部への突部の嵌入が可能となる。
【００３５】
図４は本発明の第３実施形態を示す計器装置の部分断面図（図１に於けるＡ−Ａ断面相当）である。本実施形態は、前記第１実施形態とは表示板の形状が異なるのみで他は同じため、同一または相当箇所には同一符号を付し、その詳細説明は省略する。
【００３６】
表示板９は、図４に示す様に、立体加工によって速度計１とエンジン回転計２の可視領域が周縁部に対して一段窪んだ凹部２８としてあり、周縁部と凹部２８との間は傾斜部２９となっている。本実施形態に於いては、この凹部２８を形成する際にできる周縁部と傾斜部２９との境界線Ｌが見返し部材１１の開口部１５の際に沿うように（開口部１５の際と僅かな隙間を有して）設けられている。
【００３７】
そして、傾斜部２９に速度計１とエンジン回転計２の透過性を有する目盛表示部８Ａが印刷形成されており、凹部２８に透過性を有する数字表示部８Ｂなどが印刷形成されている。また、表示板９には前記第１実施形態と同様に、見返し部材１１に設けられた第１の突部１７および第２の突部１８に対応した箇所に、第１の孔部２０および表示板孔２１がそれぞれ設けてある。
【００３８】
ケース１０にも前記第１実施形態と同様に、見返し部材１１に設けられた第１の突部１７および第２の突部１８に対応した箇所に、ケース孔２７および第２の孔部２６がそれぞれ設けてある。
【００３９】
この様に構成したことにより、前記第１実施形態と同様に、見返し部材１１と表示板９との位置決めが確実に行われる。従って、開口部１５に対する表示部８の位置ずれを抑えることができ、商品性を高めることが可能な計器装置を得ることができる。
【００４０】
また、表示板９に凹部２８を形成することで、立体感のある計器装置が得られると共に、凹部２８を形成する際にできる周縁部と傾斜部２９との境界線Ｌが見返し部材１１の開口部１５の際に沿うように設けてあっても、見返し部材１１と表示板９との位置決めが確実に行われることで表示板９の位置ずれが抑えられる。従って、表示板９の意匠部として視認される境界線Ｌの位置と開口部１５の際との隙間が全周一定となって計器装置の商品性が高まる。
【００４１】
なお、本実施形態に於いては、表示板９に傾斜部２９と凹部２８を形成した立体形状としたが、傾斜部と凸部を形成した表示板であっても良く、その場合、傾斜部に目盛表示部を設け、凸部の表面側に数字表示部を設けるようにしても良い。
【図面の簡単な説明】
【００４２】
【図１】本発明の第１実施形態を示す計器装置の正面図。
【図２】同計器装置の部分断面図（図１に於けるＡ−Ａ断面）。
【図３】本発明の第２実施形態を示す計器装置の要部断面図。
【図４】本発明の第３実施形態を示す計器装置の部分断面図。
【符号の説明】
【００４３】
８  表示部
８Ａ  目盛表示部
８Ｂ  数字表示部
９  表示板
１０  ケース
１１  見返し部材
１５  開口部
１７  第１の突部（第１の位置決め部）
１８  第２の突部（第２の位置決め部）
２０  第１の孔部（表示板位置決め部）
２６  第２の孔部（ケース位置決め部）
２８  凹部
Ｌ  境界線
【図１】
2009264870.tif 000003
【図２】
2009264870.tif 000004
【図３】
2009264870.tif 000005
【図４】
2009264870.tif 000006